(57)【要約】【課題】  外部から水が浸入しても、押し釦の操作性が悪化することなく、さらに、衛生性を維持することができる水栓装置を提供する。【解決手段】  本発明は、開閉弁の開閉により止水状態と吐水状態を切り替える水栓装置（１、１０１、２０１）であり、開閉弁（３０、３２、１３０、１３２）を収納する水栓本体（３、１０２、２０２）と、この水栓本体又は水栓本体に取り付けられた部材（４、２０６）に取り付けられ押圧操作するごとに開閉弁を閉じて止水状態とすると共に開閉弁を開いて吐水状態とする押し釦（８、１０、１０８、１１０、２０８）と、この押し釦の周りから水が浸入する開閉弁の外周部及び／又は開閉弁の内部に形成され隙間の下方位置に設けられたシール部材（８６）と、このシール部材の上方側の水栓本体の部位に隙間と連通し且つ下方向きに形成された水抜き部（９０、１４８、２０９ｃ）と、を有する。【選択図】      図２
2005133530.tif 000002
【特許請求の範囲】
【請求項１】
開閉弁の開閉により止水状態と吐水状態を切り替える水栓装置であって、
上記開閉弁を収納する水栓本体と、
この水栓本体又は水栓本体に取り付けられた部材に取り付けられ押圧操作するごとに上記開閉弁を閉じて止水状態とすると共に上記開閉弁を開いて吐水状態とする押し釦と、
この押し釦の周りから水が浸入する上記開閉弁の外周部及び／又は上記開閉弁の内部に形成され隙間の下方位置に設けられたシール部材と、
このシール部材の上方側の上記水栓本体の部位に上記隙間と連通し且つ下方向きに形成された水抜き部と、
を有することを特徴とする水栓装置。
【請求項２】
上記水栓本体に取り付けられた部材は、上記水栓本体の少なくとも表面及び前面に設けられたカバーであり、このカバーの最下端部に水落下用開口が形成されており、上記水抜き部から抜かれた水がこの水落下用開口から下方に落下するように構成されている請求項１記載の水栓装置。
【請求項３】
上記押し釦は、予めベースプレートに取り付けられ、これらの押し釦及びベースプレートにより押ボタンユニットが形成され、この押ボタンユニットが上記水栓本体に取り付けられ、この押ボタンユニットは、その内部に浸入した水の一部が上記水栓本体との間に形成された隙間から水が落下するように構成されている請求項１記載の水栓装置。
【請求項４】
開閉弁の開閉により止水状態と吐水状態を切り替える水栓装置であって、
上記開閉弁を収納する水栓本体と、
この水栓本体又は水栓本体に取り付けられた部材に揺動可能に取り付けられ、押圧操作するごとに上記開閉弁を閉じて止水状態とすると共に上記開閉弁を開いて吐水状態とする押し釦と、を有し、
上記押し釦は、周りから水が浸入する中空部を備え、且つこの中空部の底面が浸入した水を排出する水抜き部において最も高さが低くなるように配置されていることを特徴とする水栓装置。
【請求項５】
上記底面は、その一つの辺が開放されており、上記水抜き部は、上記開放された一つの辺の上の最も高さが低い点である請求項４記載の水栓装置。
【請求項６】
上記底面は、上記水抜き部を通る接線が、水平面に対して２゜以上下方に傾斜するように形成されている請求項５記載の水栓装置。
【請求項７】
上記水抜き部は、上記押し釦が押圧操作によって何れの位置に配置された場合にも、上記底面の中で最も高さが低い位置にある請求項４乃至６の何れか１項に記載の水栓装置。
【発明の詳細な説明】
【技術分野】
【０００１】
本発明は、水栓装置に係わり、特に、開閉弁の開閉により止水状態と吐水状態を切り替える水栓装置に関する。
【背景技術】
【０００２】
従来から、押し釦を押し込み操作することにより、弁体の開閉を止水状態と吐水状態の２状態に切り替え制御するようにした水栓装置が知られている。
例えば、特開２００１−３０４４４３号公報（特許文献１）には、パイロット式の開閉弁を使用した水栓装置が開示されている。具体的には、パイロット弁をパイロット孔に対して押ボタン側に配設し、そのパイロット弁を押ボタンの押し込みと一体に押込移動させてパイロット孔の弁座に押し付け、閉弁運動させることにより、閉弁操作開始後速やかにパイロット弁を閉弁完了させるようにしたものである。また、この水栓装置においては、パイロット弁等の開閉弁がハウジング内に収納されている。
【０００３】
【特許文献１】特開２００１−３０４４４３号公報
【発明の開示】
【発明が解決しようとする課題】
【０００４】
上述した特許文献１に開示された水栓装置においては、押し込み操作される押ボタンとハウジングとの間の水密性が十分でないため、シャワーの掛かり水などが押ボタンにかかった場合、その水が、開閉弁とハウジングの間の隙間や開閉弁内部空間に浸入し、この隙間や空間に水が溜まると、操作性が悪化するという問題が発生する。さらに、水が長期間溜まると、水あかやスケールが付着したり、水が腐敗して、不衛生となり、好ましくない。
また、押し釦が中空構造を有し、その中にシャワーの掛かり水などが浸入する構造の水栓装置では、押し釦自体の中に水が溜まって水あかやスケールが付着したり、水が腐敗して、不衛生となり、好ましくない。さらに、この構造の水栓装置では、押し釦を操作して押し釦が動いたとき、押し釦の中に溜まっていた水が飛び散ることがあり、その場合は使用者に水が飛び散り不快感を与えてしまう。
【０００５】
そこで、本発明は、外部から水が浸入しても、押し釦の操作性が悪化することなく、さらに、衛生性を維持することができる水栓装置を提供することを目的としている。
【課題を解決するための手段】
【０００６】
上記の目的を達成するために、本発明は、開閉弁の開閉により止水状態と吐水状態を切り替える水栓装置であって、開閉弁を収納する水栓本体と、この水栓本体又は水栓本体に取り付けられた部材に取り付けられ押圧操作するごとに開閉弁を閉じて止水状態とすると共に開閉弁を開いて吐水状態とする押し釦と、この押し釦の周りから水が浸入する開閉弁の外周部及び／又は開閉弁の内部に形成され隙間の下方位置に設けられたシール部材と、このシール部材の上方側の水栓本体の部位に隙間と連通し且つ下方向きに形成された水抜き部と、を有することを特徴としている。
このように構成された本発明においては、押し釦と水栓本体の間の隙間から、水が水栓本体の内部に浸入したとき、この水は、さらに、開閉弁の外周部や開閉弁の内部に形成された隙間内に浸入するが、この隙間の内部の水は、隙間の下方位置に設けられたシール部材によりシールされているので、この隙間と連通し且つ下方向きに形成された水抜き部から、水栓本体の外部に放出される。その結果、本発明によれば、外部から水が浸入しても、水栓本体に形成された水抜き部から、外部に確実に放出されるので、操作性の悪化を防止でき、さらに、衛生性を維持することができる。
【０００７】
本発明において、好ましくは、水栓本体に取り付けられた部材は、水栓本体の少なくとも表面及び前面に設けられたカバーであり、このカバーの最下端部に水落下用開口が形成されており、水抜き部から抜かれた水がこの水落下用開口から下方に落下するように構成されている。
このように構成された本発明によれば、水栓本体の少なくとも表面及び前面にカバーが設けられた水栓装置であっても、カバーの最下端部に水落下用開口が形成されているので、水抜き部から抜かれた水がこの水落下用開口から下方に落下するので、操作性の悪化を防止でき、さらに、衛生性を維持することができる。
【０００８】
本発明において、好ましくは、押し釦は、予めベースプレートに取り付けられ、これらの押し釦及びベースプレートにより押ボタンユニットが形成され、この押ボタンユニットが水栓本体に取り付けられ、この押ボタンユニットは、その内部に浸入した水の一部が水栓本体との間に形成された隙間から水が落下するように構成されている。
このように構成された本発明によれば、押し釦及びベースプレートにより押ボタンユニットが形成された場合であっても、押ボタンユニットの内部に浸入した水の一部が水栓本体との間に形成された隙間から水が落下するので、操作性の悪化を防止でき、さらに、衛生性を維持することができる。
【０００９】
また、本発明は、開閉弁の開閉により止水状態と吐水状態を切り替える水栓装置であって、開閉弁を収納する水栓本体と、この水栓本体又は水栓本体に取り付けられた部材に揺動可能に取り付けられ、押圧操作するごとに開閉弁を閉じて止水状態とすると共に開閉弁を開いて吐水状態とする押し釦と、を有し、押し釦は、周りから水が浸入する中空部を備え、且つこの中空部の底面が、浸入した水を排出する水抜き部において最も高さが低くなるように配置されていることを特徴としている。
このように構成された本発明においては、押し釦の外部から中空部に浸入した水は、中空部の底部から水抜き部へ流れて押し釦の外へ排出される。このため、本発明によれば、外部から押し釦の内部に水が浸入しても、水抜き部から、外部に確実に放出されるので、操作性の悪化を防止でき、衛生性を維持することができ、さらに押し釦の内部に溜まった水が飛び散るのを防ぐことができる。
【００１０】
本発明において、好ましくは、底面は、その一つの辺が開放されており、水抜き部は、開放された一つの辺の上の最も高さが低い点である。
このように構成された本発明においては、底面に落ちた水が水抜き部の一点に集められて排出されるので、底面に落ちた水を効率良く排出することができる。
【００１１】
本発明において、好ましくは、底面は、水抜き部を通る接線が、水平面に対して２゜以上下方に傾斜するように形成されている。
このように構成された本発明においては、底面に落ちた水を確実に排出することができる。
また、本発明において、好ましくは、水抜き部は、押し釦が押圧操作によって何れの位置に配置された場合にも、底面の中で最も高さが低い位置にある。
このように構成された本発明においては、押し釦が揺動して何れの位置にある場合でも、水を排出することができる。
【発明の効果】
【００１２】
以上説明したように、本発明の水栓装置によれば、外部から水が浸入しても、押し釦の操作性が悪化することなく、さらに、衛生性を維持することができる。
【発明を実施するための最良の形態】
【００１３】
以下に添付図面を参照して本発明の実施形態を説明する。
先ず、図１乃至図７により、本発明の第１実施形態による水栓装置を説明する。図１は本発明の第１実施形態である湯水混合水栓を示す全体斜視図である。
図１に示すように、符号１は、湯水混合水栓を示し、この湯水混合水栓１は、湯水混合水栓１の設置面である壁面から突出して設けられている。この湯水混合水栓１は、水栓本体３を覆うように設けられた板状の断熱カバー４を備え、この断熱カバー４の上面側４ａに、温度調整用ダイヤル６、カラン吐水用のカラン用押し釦８、シャワー吐水用のシャワー用押し釦１０がそれぞれ設けられている。
【００１４】
温度調整用ダイヤル６により所望の水温が設定され、湯水の混合比が調整されて、適温の吐水がなされる。また、カラン用押し釦８を操作することでカラン吐水口から吐水され、シャワー吐水用押し釦１０を操作することでシャワーヘッド（図示せず）からシャワー吐水がなされる。
【００１５】
湯水混合水栓１の前方下面側付近には、カラン吐水口１６及びシャワー吐水口１８がそれぞれ設けられている。シャワー吐水口１８には図示しないシャワーヘッドに連通したシャワーホース２０が接続されている。
【００１６】
また、湯水混合水栓１の右側面及び左側面には、図２にそれらの一部が示されているが、止水栓２２の調整部、並びに、フィルター（図示せず）及び逆止弁２４のメンテナンス口が設けられている。右側面のものは湯水混合水栓１に流入する水用のものであり、左側面のものは湯用のものである。
湯水混合水栓１の壁固定面には、給水管２６（図２参照）及び給湯管を接続する接続部がそれぞれ設けられている。
【００１７】
使用者は、温度調整用ダイヤル６により所望の温度を設定するとともに、カラン吐水を得たい場合はカラン用押し釦８を、シャワー吐水を得たい場合はシャワー用押し釦１０を押すことにより、所望の温度の混合水の吐水を得ることができる。そして、各押し釦８、１０を再度押すと、止水されるようになっている。
【００１８】
このときの湯水混合水栓１内における湯水の流れを説明すると、先ず、給水管２６、給湯管から湯水混合水栓１内に流入した湯水は、湯用、水用それぞれに設けられた止水栓２２により適当な流量に絞られ、湯用、水用それぞれに設けられたフィルターおよび逆止弁２４を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁ユニット３０，３２（図２には開閉弁ユニット３２のみが示されている）を経て、カラン吐水口およびシャワーヘッドから吐水される。なお、開閉弁ユニット３０，３２の詳細構造は、図１５乃至図１８により後述する。
【００１９】
次に、図２により、本実施形態の湯水混合水栓の内部構造を説明する。図２は、本発明の第１実施形態の湯水混合水栓を示す一部断面斜視図である。
図２に示すように、開閉弁ユニット３０，３２（図２には開閉弁ユニット３２のみが示されている）が、それぞれ、湯水混合水栓１のカラン用押し釦８及びシャワー用押し釦１０の下面側に接触して設けられている。これらの開閉弁ユニット３０，３２は、それぞれ、開閉弁ユニット取付用ナット３４により、湯水混合水栓１の水栓本体３の内部に形成された収納空間内に取り付けられている。この開閉弁ユニット取付用ナット３４は、その上端に延長部３４ａが形成されており、開閉弁ユニット３０，３２内に水が浸入するのを防止している。
【００２０】
次に、図３乃至図５により、湯水混合水栓のカラン用押し釦及びシャワー用押し釦の構造を具体的に説明する。
図３は、図２に示された湯水混合水栓１の部品である板状の断熱カバー４ａ、カラン用押し釦８及びシャワー用押し釦１０の組立体のシャワー用押し釦１０を押した場合を示す表側から見た斜視図であり、図４は、図３に示す組立体を裏側から見た斜視図である。図５は、シャワー用押し釦１０を表側から見た斜視図である。ここで、カラン用押し釦８とシャワー用押し釦１０は同じ構造であるため、ここでは、シャワー用押し釦１０を例として説明する。
【００２１】
図３乃至図５に示すように、シャワー用押し釦１０は、釦操作部８０と、水栓本体３の一部である断熱カバー４ａに取り付けるためのアーム部８２と、断熱カバー４ａに対して付勢した状態にする付勢手段である板ばね部８４とから構成されている。これらの釦操作部８０、アーム部８２及び板ばね部８４は、一体的に形成され、材質はポリプロピレンである。
【００２２】
シャワー用押し釦１０のアーム部８２の先端の両側には、それぞれ取付用の突起８２ａが形成され、これらの突起８２ａが、断熱カバー４ａに設けられた取付用のフランジ４ｂの凹部に嵌め込まれ、組み付けられるようになっている。組み付けた状態で、シャワー用押し釦１０は、断熱カバー４ａのフランジ４ｂの凹部及びそれ自身のアーム８２の突起８２ａにより形成される軸線Ａを中心にして揺動可能となっている。
【００２３】
シャワー用押し釦１０の板ばね部８４は、基端側がアーム部８２に結合された一対の弾性変形可能な変形部８４ａと、この変形部８４ａの先端に設けられた当接部８４ｂとにより構成されている。また、この板ばね部８４のアーム部８２への結合位置８４ｃは、揺動中心であるアーム部８２の突起８２ａ（軸線Ａ）から所定距離離れた位置に設定されている。これにより、板ばね部８４が断熱カバー４の裏面側に押しつけられた際に、変形部８４ａが弾性変形し、必要な押し付け力を得ることができるようになっている。
【００２４】
次に、このシャワー用押し釦１０の操作の仕方を説明する。図２に示すように、開閉弁ユニット３０，３２（図２は開閉弁ユニット３２のみを示す）が、それぞれ、湯水混合水栓１のカラン用押し釦８及びシャワー用押し釦１０の下面側に接触して設けられている。
また、後述する図１６に示すように、開閉弁ユニット３２は、止水状態（閉状態）では、シャワー用押し釦１０の下面側に接触する操作部３６の頂部３６ａの位置は、パイロット弁切替保持機構６２により、レベルＬ０となっている。このレベルＬ０は、図２に示すように、シャワー用押し釦１０の上面と、断熱カバー４ａの上面（表面）とは同じレベルとなる位置である。なお、レベルＬ０の状態は、図６（ａ）に示された位置である。
【００２５】
次に、後述する図１７に示すように、開閉弁ユニット３２は、吐水状態（開状態）では、シャワー用押し釦１０の下面側に接触する操作部３６の頂部３６ａの位置は、パイロット弁切替保持機構６２により、レベルＬ１となっている。このレベルＬ１の位置は、図２に示されたレベルＬ０よりも、ｈ１だけ、高い位置となっている。レベルＬ１の状態は、図６（ｃ）に示された位置である。
【００２６】
図６は、使用者がシャワー用押し釦１０を操作するときの各レベルを示す側面図である。図６（ａ）は、止水状態（閉状態）を示しており、このとき、シャワー用押し釦１０の上面と、断熱カバー４ａの上面（表面）は同じレベルとなっている。
この状態において、板ばね部８４の当接部８４ｂは、断熱カバー４の裏面と非接触又は僅かに接触した状態となっている。これにより、止水状態では、板ばね部８４には付勢力が発生しないようにし、永久変形の発生を防止している。
【００２７】
図６（ｂ）は止水状態から吐水状態に切り替える際に使用者が押圧したときの状態を示しており過渡的な状態である。図６（ｃ）は、使用者が、図６（ｂ）の状態から吐水操作を終了したときの状態を示している。この場合、シャワー用押し釦１０の上面が、断熱カバー４ａよりｈ１だけ高い位置となっている。このとき、シャワー用押し釦１０は、断熱カバー４ａの裏面側に押しつけられるので、板ばね部８４の変形部８４ａが弾性変形し、それにより、シャワー用押し釦１０と断熱カバー４との間で、シャワー用押し釦１０に対し下向きの力が作用する。この結果、使用者が、止水状態から吐水状態とするための吐水操作をした時、シャワー用押し釦１０は、板ばね部８４により、下方に押し付けられるので、釦自体が振動する（暴れる）ことを防止することができる。
【００２８】
次に、図２により、本発明の第１実施形態の湯水混合水栓１による水抜き構造を説明する。シャワー用押し釦１０と断熱カバー４ａとの間には、隙間Ｓ１が形成され、この隙間Ｓ１から、例えば、シャワーの掛かり水が、水栓本体３の内部に浸入する。この隙間Ｓ１から浸入した水は、開閉弁ユニット３２の外周面及び開閉弁ユニット３２の内部にそれぞれ形成された隙間Ｓ２，Ｓ３，Ｓ４，Ｓ５に浸入する。具体的には、開閉弁ユニット３２（開閉弁ユニット取付用ナット３４）の外周面及び水栓本体３の内周面との間に形成された螺子部での微小な隙間Ｓ２、開閉弁ユニット取付用ナット３４の内周面と後述する組付ナット６０（図１６参照）の外周面との間に形成された微小な隙間Ｓ３，開閉弁ユニット３２（組付ナット６０）の外周面と水栓本体３の内周面との間に形成された微小な隙間Ｓ４、及び、組付ナット６０の内周面と後述する操作部３６（図１６参照）の外周面との間に形成された微小な隙間Ｓ５に、水が浸入する。
【００２９】
ここで、隙間Ｓ１から浸入した水の一部は、隙間Ｓ２及びＳ３を経由して、隙間Ｓ４に至り、この隙間（空間）Ｓ３内に長期にわたり滞留した場合には、その水が腐敗し、不衛生となる。
また、隙間Ｓ１から浸入した水の一部が、隙間Ｓ５を経由して、空間Ｓ６及びこの空間Ｓ６の下方に形成された隙間Ｓ７内に滞留すると、同様にその水の腐敗し、不衛生となり、さらに、この空間Ｓ６内に設けられた後述するパイロット弁切換保持機構（ハートカム機構）６２（図１６，図１８参照）の操作性が悪化し、それにより、カラン用押し釦８及びシャワー用押し釦１０の操作性が悪化する。
【００３０】
このような操作性の悪化を防止し不衛生とならないようにするために、本実施形態では、開閉弁ユニット３２の外周面と水栓本体３の内周面との間に形成された微小な隙間Ｓ４及び隙間Ｓ７の下方位置に、図２及び図１６に示すように、Ｏリングであるシール部材８６を設け、このシール部材８６により、隙間Ｓ４及び隙間Ｓ７に浸入した水が、水路８８内に浸入しないようにしている。
また、本実施形態では、このシール部材の上方側の近傍に位置する水栓本体３の部位に、隙間Ｓ４及び隙間Ｓ７の最下方位置に連通し且つ下方向き（斜め下向き及び真下向きを含む）の水抜き孔９０が形成されている（Ｓ３〜Ｓ７は、図１６参照）。
ここで、開閉弁ユニット３２は、水栓本体３に対して傾斜して設けられているので、隙間Ｓ４とＳ７は、それぞれ、円筒形状であり、それぞれの最下方位置に浸入した水が１箇所に集まり、この集まった水が、まとめて、水抜き孔９０から外部に放出されるようになっている。
さらに、本実施形態では、断熱カバー４の下部側を形成する断熱カバー４ｃの下方位置には、シャワー吐出口１８が貫通し、且つ、断熱カバー４ｃとシャワー吐出口１８との間に水落下用開口９２が形成されている。
【００３１】
このように構成された本実施形態の湯水混合水栓１の水抜き構造によれば、シャワー用押し釦１０と断熱カバー４ａとの間の隙間Ｓ１から、例えば、シャワーの掛かり水が、水栓本体３の内部に浸入したとき、この水は、さらに、上述した隙間Ｓ２及びＳ３を経由して、隙間Ｓ４内に浸入する。また、隙間Ｓ５に侵入した水は、空間Ｓ６を経由して、隙間Ｓ７に浸入する。これらの隙間Ｓ４及びＳ７の内部の水は、シール部材８６によりシールされているので、水抜き孔９０から、水栓本体３の外部に放出される。この放出された水は、さらに、断熱カバー４ｃとシャワー吐出口１８との間に形成された水落下用開口９２から、下方に落下する。
【００３２】
この結果、本実施形態の湯水混合水栓によれば、外部から水が浸入しても、水栓本体３に形成された水抜き孔９０及び断熱カバー４ｃに形成された水落下用開口９２から、外部に確実に放出されるので、上述した操作性の悪化を防止でき、さらに、衛生性を維持することができる。
【００３３】
次に、図７乃至図１４により、本発明の第２実施形態による湯水混合水栓を説明する。
図７は、本発明の第２実施形態による湯水混合水栓を示す全体斜視図であり、図８は、図７に示す湯水混合水栓の部品を展開して示す展開図である。
【００３４】
図７及び図８に示すように、符号１０１は、第２実施形態による湯水混合水栓を示し、この湯水混合水栓１０１は、湯水混合水栓１０１の設置面である壁面から突出して設けられている。
この湯水混合水栓１０１は、水栓本体１０２を備え、この水栓本体１０２内に、開閉弁ユニット１３０，１３２が収納され、開閉弁ユニット取付用ナット１３４により、水栓本体１０２に固定されるようになっている。ここで、開閉弁ユニット１３０，１３２は、第１実施形態における開閉弁ユニット３０，３２と同一構造であり、その詳細構造は、図１５乃至図１７により後述する。
【００３５】
また、水栓本体１０２に、温度調整用ダイヤル１０６及び押ボタンユニット１０７が取り付けられている。
この押ボタンユニット１０７は、カラン吐水用のカラン用押し釦１０８、シャワー吐水用のシャワー用押し釦１１０、及び、これらの押し釦１０８，１１０が取り付けられるベースプレート１１１から構成されている。この押ボタンユニット１０７も、固定用ビス１３５により、水栓本体１０２に固定されるようになっている。
ここで、カラン用押し釦１０８及びシャワー用押し釦１１０のそれぞれの操作面を水栓本体１０２の表面とほぼ同一面上に設けることにより、操作性を向上させている。
【００３６】
カラン用押し釦１０８の取付け位置の水栓本体１０２の前方下面側には、カラン吐水口１１６が設けられ、また、シャワー用押し釦１１０の取付け位置の水栓本体１０２の後方下面側には、シャワー吐水口１１８（図２参照）が設けられている。カラン吐水口１１６には、カラン吐水管１１７が接続され、また、シャワー吐水口１１８には図示しないシャワーヘッドに連通したシャワーホース１２０が接続されている。
【００３７】
使用者は、温度調整用ダイヤル１０６により所望の温度を設定するとともに、カラン吐水を得たい場合はカラン用押し釦１０８を、シャワー吐水を得たい場合はシャワー用押し釦１１０を押すことにより、所望の温度の混合水の吐水を得ることができる。そして、各押し釦１０８、１１０を再度押すと、止水されるようになっている。
【００３８】
このときの湯水混合水栓１０１内における湯水の流れを説明すると、先ず、給水管、給湯管から湯水混合水栓１０１内に流入した湯水は、湯用、水用それぞれに設けられた止水栓により適当な流量に絞られ、湯用、水用それぞれに設けられたフィルターおよび逆止弁を通過し、温度調節弁に流入する。温度調節弁はサーモスタット式の湯水混合弁であり、湯と水は所望の設定された温度に自動調整され、湯水混合水が温度調節弁から流出する。
その後、湯水混合水はカラン用、シャワー用それぞれに設けられた開閉弁ユニット１３０，１３２を経て、カランおよびシャワーノズルから吐水される。
【００３９】
次に、図９乃至図１３により、押ボタンユニット１０７の詳細構造を説明する。図９は押ボタンユニット１０７の部品を展開して示す展開図、図１０は押し釦１０８（１１０）を裏側から見た斜視図、図１１は押ボタンユニット１０７の正面図、図１２は図１１のＢ−Ｂ線に沿って見た断面図、図１３は使用者が押し釦１０８（１１０）を操作するときの押し釦の各レベルを示す湯水混合水栓の部分断面図である。
【００４０】
図９に示すように、押ボタンユニット１０７は、上述したように、ベースプレート１１１と、このベースプレート１１１に取り付けられるカラン用押し釦１０８及びシャワー用押し釦１１０を備えている。押ボタンユニット１０７は、さらに、これらの押し釦１０８，１１０をベースプレート１１１に取り付けたとき、押し釦１０８，１１０をベースプレート１１１に押し付けるための付勢手段であるコイルばね１４０、及び、押し釦１０８，１１０を操作しても、止水状態を保持して吐水状態とならないようにするための誤操作防止用のロック機構１４２を備えている。
【００４１】
次に、図１０に示すように、押し釦１０８（１１０）は、その一端側に一対の支持軸１４４（１４４ａ，１４４ｂ）が設けられ、この支持軸１４４のうちの長い方の支持軸１４４ａには、コイルばね１４０が取り付けられている（図１２参照）。また、押し釦１０８（１１０）の裏面側には、開閉弁ユニット１３０（１３２）の操作部３６と当接して使用者の押圧力を伝達する操作用突起１４６が一体的に設けられている。
【００４２】
図１２に示すように、取付時には、先ず、押し釦１０８（１１０）の支持軸１４４ａに、コイルばね１４０を装着し、次に、ベースプレート１１１に取り付ける。具体的には、シャワー用押し釦１０８の支持軸１４４ａは、ベースプレート１１１の取付用溝１４８を形成する突起１５０（１５０ａ，１５０ｂ）に当接し、弾性変形して内側にたわみ、突起１５０を乗り越えて、取付用溝１４８内に回動可能に取り付けられる。
【００４３】
図１３（ａ）は、止水時の押し釦の状態（閉状態）を示しており、このとき、押し釦１０８（１１０）の上面と、水栓本体１０２の上面（表面）は同じレベルとなっている。この止水状態（閉状態）時、開閉弁ユニット１３０（１３２）において、押し釦１０８（１１０）の裏面側（下面側）の操作用突起１４６に接触する操作部３６の位置は、パイロット弁切替保持機構（ハートカム機構）６２により、レベルＬ０となっている。なお、この止水時、パイロット弁切替保持機構（ハートカム機構）６２は、そのピン６４の下端部６４ａが、図１８に示すａ位置（止水状態）に保持された状態となっている。
【００４４】
次に、止水状態から吐水状態に切り替えるときは、図１３（ｂ）に示すように、押し釦１０８（１１０）は、パイロット弁切替保持機構（ハートカム機構）６２が解除されるため、一旦、最下方位置まで下がる。なお、このとき、パイロット弁切替保持機構（ハートカム機構）６２は、そのピン６４の下端部６４ａが、図１８に示すｂ位置（釦押込み状態）まで下がった状態となっている。
【００４５】
次に、図１３（ｂ）の状態から吐水操作を終了したときは、図１３（ｃ）に示す状態となり、このとき、押し釦１０８（１１０）の上面が、水栓本体１０２よりｈ１だけ高い位置となっている。具体的には、この吐水状態時、開閉弁ユニット１３０（１３２）において、押し釦１０８（１１０）の操作用突起１４６に接触する操作部３６の位置は、パイロット弁切替保持機構６２により、レベルＬ１となっている。このレベルＬ１の位置は、レベルＬ０よりも、ｈ１だけ、高い位置となっており、その結果、押し釦１０８（１１０）が、水栓本体１０２の表面よりも、上方に位置するようになっている。なお、この吐水時、パイロット弁切替保持機構（ハートカム機構）６２は、そのピン６４の下端部６４ａが、図１８に示すc位置（吐水状態）に保持された状態となっている。
【００４６】
次に、ロック機構１４２を説明する。ロック機構１４２は、図９に示すように、一体的に形成された４つのロック用突起１５２を備えている。また、押し釦１０８（１１０）は、図１０に示すように、それぞれ、一体的に形成された２つのロック用リブ１５４を備えている。このロック機構１４２は、使用者が操作することにより、ぞれぞれ、右方向Ｒ及び左方向Ｌに移動可能となっている（図１１参照）。
【００４７】
使用者が、湯水混合水栓１０１を使用しないときには、ロック機構１４２を右方向Ｒに移動させて、４つのロック用突起１５２を、ロック用リブ１５４にぞれぞれ当接させて、押し釦１０８（１１０）をロックして、押圧しても下降しないようにして、誤操作を防止している。
【００４８】
一方、湯水混合水栓１０１の使用時には、使用者は、ロック機構１４２を左方向Ｌに移動させて、４つのロック用突起１５２を、ロック用リブ１５４から離し、押し釦１０８（１１０）のロックを解除し、押圧すると下降して、吐水状態に切り替わるようになっている。
このロック機構１４２により、湯水混合水栓１０１を使用しないとき、使用者が誤って、押し釦１０８（１１０）を操作しても、押し釦がロックされているため、吐水状態とはならず、湯水が高温の場合に生じる危険を回避することができる。
【００４９】
次に、図１４により、第２実施形態の湯水混合水栓１０１による水抜き構造を説明する。シャワー用押し釦１１０と水栓本体１０２の間には、隙間Ｓ１１，Ｓ１２，Ｓ１３が形成されている。例えば、シャワーの掛かり水のうち、この隙間Ｓ１２から浸入した水は、水栓本体１０２内には浸入せず、そのまま、隙間Ｓ１３から外部に放出されるので、問題はない。
一方、隙間Ｓ１１から侵入した水は、水栓本体１０２の内部に浸入する。具体的には、隙間Ｓ１１から浸入した水は、第１実施形態のものと同様に、隙間及び空間Ｓ２，Ｓ３，Ｓ４，Ｓ５，Ｓ６，Ｓ７に浸入する（図１４には、Ｓ２，Ｓ３，Ｓ４のみが示され、Ｓ５，Ｓ６，Ｓ７は、図２及び図１６に示されている。）
【００５０】
ここで、第２実施形態においても、上述した第１実施形態と同様に、隙間Ｓ１１から侵入した水の一部は、隙間Ｓ２及びＳ３を経由して、隙間Ｓ４に至り、この隙間（空間）Ｓ３内に長期にわたり滞留した場合には、その水が腐敗し、不衛生となる。
また、隙間Ｓ１１から浸入した水の一部が、隙間Ｓ５を経由して、空間Ｓ６及びこの空間Ｓ６の下方に形成された隙間Ｓ７内に滞留すると、同様にその水の腐敗し、不衛生となり、さらに、この空間Ｓ６内に設けられた後述するパイロット弁切換保持機構（ハートカム機構）６２（図１６，図１８参照）の操作性が悪化し、それにより、カラン用押し釦８及びシャワー用押し釦１０の操作性が悪化する。
【００５１】
このような操作性の悪化を防止し不衛生とならないようにするために、第２実施形態では、開閉弁ユニット１３２の外周面と水栓本体１０２の内周面との間に形成された微小な隙間Ｓ４及び隙間Ｓ７の下方位置に、図１４及び図１６に示すように、Ｏリングであるシール部材８６を設け、このシール部材８６により、隙間Ｓ４及び隙間Ｓ７に浸入した水が、水路８８内に浸入しないようにしている。
さらに、本実施形態では、このシール部材８６の上方側の近傍に位置する水栓本体１０２の部位に、隙間Ｓ４及び隙間Ｓ７の最下方位置と連通し且つ下向きの水抜き孔１４８が形成されている。
ここで、開閉弁ユニット１３２は、水栓本体１０２に対して傾斜して設けられているので、隙間Ｓ４とＳ７は、それぞれ、円筒形状であり、それぞれの最下方位置に浸入した水が１箇所に集まり、この集まった水が、まとめて、水抜き孔１４８から外部に放出されるようになっている。
【００５２】
このように構成された本実施形態の湯水混合水栓１０１の水抜き構造によれば、シャワー用押し釦１１０と水栓本体１０２の間の隙間Ｓ１１から、例えば、シャワーの掛かり水が、水栓本体１０２の内部に浸入したとき、この水は、さらに、上述した隙間Ｓ２及びＳ３を経由して、隙間Ｓ４内に浸入する。また、隙間Ｓ５に侵入した水は、空間Ｓ６を経由して、隙間Ｓ７に浸入する。これらの隙間Ｓ４及びＳ７の内部の水は、シール部材８６によりシールされているので、水抜き孔１４８から、水栓本体１０２の外部に放出される。
【００５３】
この結果、本実施形態の湯水混合水栓によれば、外部から水が浸入しても、水栓本体１０２に形成された水抜き孔１４８から、外部に確実に放出されるので、上述した操作性の悪化を防止でき、さらに、衛生性を維持することができる。
【００５４】
次に、図１５により、上述した第１実施形態及び第２実施形態に使用される開閉弁ユニット３０，３２，１３０，１３２の基本構造を説明する。開閉弁ユニット３０，３２，１３０，１３２は同一構造であるため、ここでは、第１実施形態のシャワー用の開閉弁ユニット３２を説明する。
図１５に示すように、開閉弁ユニット３２は、使用者がシャワー用の押し釦１０を押すとこの押圧操作により下方に押される操作部３６と、操作部３６にその基端が結合された押し棒３８と、この押し棒３８の先端に設けられたパイロット弁４０とを備えている。ここで、押し棒３８の先端（下端）とパイロット弁４０との間には緩衝手段であるコイルばね４２が設けられている。開閉弁ユニット３２は、更に，パイロット弁４０の下方に、パイロット弁口（圧力開放穴）４４を備えパイロット弁４０がこのパイロット弁口４４に当接及び解離するダイヤフラム式の主弁４６と、この主弁４６の背面に形成され押し棒３８、パイロット弁４０及びコイルばね４２を収納する圧力室４８を形成するためのハウジング５０と、主弁４６の表面が着座及び離座する弁座５２とを備えている。また、ハウジング５０の押し棒３８が挿通される部分には、シール部材５４が設けられている。さらに、主弁４６の外周側には、小穴（一次圧流入口）５６が形成されている。
【００５５】
次に、開閉弁ユニット３２の基本動作を説明する。この開閉弁ユニット３２においては、圧力室４８内に設けられたパイロット弁４０を、主弁４６のパイロット弁口４４に当接及び解離させることで、パイロット弁４０を開閉し、止水と吐水を切り替えるようになっている。
先ず、吐水状態から止水状態に切り替えるときは、押し棒３８によりパイロット弁４０をパイロット弁口４４に当接する方向に押さなければならない。このとき、押し棒３８は、その断面積に相当する面積に作用する水圧により上向きの力を受け、さらに、シール部材５４による摺動摩擦抵抗があり、これらに抗して操作部３６を押す必要があるが、この力（操作力）は小さな値である。
【００５６】
次に、パイロット弁４０が主弁４６のパイロット弁口４４に当接すると、一次側通水路の一次圧の水が小穴５６を通って圧力室４８内に流入し、これに伴い、主弁４６が遅い速度で、弁座５２に向って移動する。これにより、主弁４６が弁座５２に着座し、止水状態に切り替わる（図１６参照）。
【００５７】
さらに、この開閉弁ユニット３２では、緩衝手段であるコイルばね４２を、押し棒３８とパイロット弁４０との間、即ち、圧力室４８内に設けたので、このコイルばね４２には、パイロット弁４０がパイロット弁口４４に当接するまでは力は作用せず、さらに、詳細は後述するように、パイロット弁４０がパイロット弁口４４に当接した以降も小さな力を作用させればよい。
【００５８】
また、止水状態から吐水状態に切り替えるときは、操作部３６を押せば、後述するパイロット弁切替保持機構６２及び付勢用ばね６９により、パイロット弁４０が主弁４６のパイロット弁口（圧力開放穴）４４から解離し、それにより、圧力室４８が開放され、主弁４６が弁座５２から離座し、吐水状態となる（図１７参照）。
【００５９】
なお、開閉弁ユニット３２では、上述したように、主弁４６の移動速度を意図的に小さくしているが、これは、主弁４６の閉止時のウォーターハンマーの発生を抑えるためである。即ち、主弁４６に設けられた小穴５６から圧力室４８に一次側の水が流入することで圧力室４８内が一次圧の水で満たされ、主弁４６が弁座５２の方向に移動するが、小穴５６を通常非常に小さな径としているので、圧力室４８への水の流入速度が抑えられ、これにより、主弁４６の移動速度（閉止速度）を抑え、主弁閉止時のウォーターハンマーの発生を抑えるようにしている。
【００６０】
次に、図１６及び図１７により、開閉弁ユニット３２の構造をより具体的に説明する。
図１６は開閉弁ユニットにおける止水状態（閉状態）を示す断面図であり、図１７は開閉弁ユニットにおける吐水状態（開状態）を示す断面図である。
【００６１】
先ず、図１６に示すように、開閉弁ユニット３２は、図１５により既に説明した、操作部３６、押し棒３８、パイロット弁４０、緩衝手段であるコイルばね４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６を備えている。
【００６２】
次に、上述した小穴（一次圧流入口）５６には、クリーニング用のピン５８が挿入されており、小穴５６の一次圧流入口の通水面積を絞っている。これにより、上述したように、一次圧の圧力室への流入速度を抑制することで主弁４６の閉止速度を緩やかにし、閉止時に発生するウォーターハンマーを低減できるようにしている。
【００６３】
圧力室４８を形成するハウジング５０は、主にパイロット弁４０が配置された空間を取り囲む第１ハウジング５０ａと、主弁４６の背面側の空間を取り囲む第２ハウジング５０ｂから構成されている。
また、最外周側には、操作部３６、第１ハウジング５０ａ、第２ハウジング５０ｂ、弁座５２の４つの部品を組み付けることにより、開閉弁ユニット３２を組み立てるための組付ナット６０が配置されている。
【００６４】
開閉弁ユニット１３０（１３２）は、さらに、パイロット弁切替保持機構６２を備えている。このパイロット弁切替保持機構６２は、上述したカラン用押し釦１０８及びシャワー用押し釦１１０に連動しており、これらの押し釦１０８，１１０を押す毎に、即ち、操作部３６が押される毎に、パイロット弁４０の吐水状態位置と止水状態位置の切り替えを繰り返すと共にパイロット弁４０を吐水状態位置及び止水状態位置に保持する機能を有する。
【００６５】
このパイロット弁切替保持機構６２は、一般にノック式ボールペンのノック機構などで使用される機構でもよいが、本実施形態では、図１６及び図１７に示すように、操作部３６と連動して移動するピン６４と、第１ハウジング５０ａの外周面に形成されピン６４の下方側が弾性変形しながらこれに沿って移動する逆ハート形状のカム溝６６と、止水状態（閉状態）でピン６４を保持する保持用突起６８から形成されたハートカム機構である。
【００６６】
ここで、図１８により、パイロット弁切替保持機構（ハートカム機構）６２の詳細構造及び動作を説明する。図１８は、開閉弁ユニットに使用されるパイロット弁切替保持機構（ハートカム機構）を示す拡大図である。図１８に示すように、使用者が押し釦１０８，１１０の押圧操作をするごとに、ピン６４の下端部６４ａは、ａ位置（止水状態）、ｂ位置（押込み状態）、ｃ位置（吐水状態）、ｄ位置（押込み状態）の順序で，移動する。即ち、ａ位置（止水状態）においては、ピン６４の下端部６４ａが、保持用突起６４により保持されており、止水状態が保持されている。次に、止水状態から吐水状態に吐水操作すると、ピン６４の下端部６４ａは、カム溝６６の形状に沿って移動し、ｂ位置（押込み状態）まで下がり、その後、ｃ位置（吐水状態）まで移動し、この位置で、吐水状態が保持される。次に、吐水状態から止水状態に止水操作すると、ピン６４の下端部６４ａは、ｃ位置（吐水状態）から、カム溝６６の形状に沿って移動し、ｄ位置（押込み状態）まで下がり、その後、ａ位置（吐水状態）まで移動し、この位置で、止水状態が保持される。
【００６７】
パイロット弁切替保持機構６２がハートカム機構であるので、圧力室４８をシールするシール部材５４に、押し棒３８の往復運動（上下運動）のみが作用し、上述したノック機構のように押し棒３８の回転運動が作用しないため、シール部材５４への負担が少なくなり、高い信頼性が得られる。
【００６８】
また、図１６及び図１７に示すように、符号６９は、付勢用ばねであり、この付勢用ばね６９により、止水状態から吐水状態に切替操作する際、即ち、押し釦８，１０が押された際、パイロット弁切替保持機構６２による止水状態位置における保持が解除され、操作部３６が上方に付勢され、パイロット弁４０が弁体４２から解離し、容易に吐水状態に切り替えることができるようになっている。
【００６９】
次に、押し棒３８とパイロット弁４０の結合部について説明する。図１６及び図１７に示すように、押し棒３８の先端（下端）であって圧力室４８の内部には、上述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２を内蔵している。パイロット弁４０の上側には、押し棒３８が摺動可能に挿入される挿入穴４０ｃが形成されている。
パイロット弁４０は、弾性変形可能な樹脂材料で作られており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に作用している。
【００７０】
これにより、止水状態から吐水状態に切り替える吐水操作時には、コイルばね４２の付勢力により押し棒３８の先端の大径部３８ａとパイロット弁４０の上側が係合し、それにより、パイロット弁４０は、押し棒３８の動きと連動し、主弁４６に形成されたパイロット弁口４４から離座する（図１７参照）。
吐水状態から止水状態に切り替える止水操作時には、パイロット弁４０が主弁４６に形成されたパイロット弁口４４に当接するとき、押し棒３８の大径部３８ａは、パイロット弁４０の上側から離れて下降するが、押し棒３８のストローク方向の移動距離（変位量）はコイルばね４２により吸収される（図１６参照）。
【００７１】
これにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００７２】
次に、図１９乃至図２５Ｃを参照して、本発明の第３実施形態による水栓装置である湯水混合水栓を説明する。図１９は本発明の第３実施形態による湯水混合水栓の一部を示す斜視図であり、図２０は、図１９のXX-XX線に沿って切断した側面断面図であり、図２１は、図１９のXXI-XXI線に沿って切断した側面断面図である。
図１９乃至図２２に示すように、本発明の第３実施形態による湯水混合水栓２０１は、水栓本体２０２と、この水栓本体２０２を覆うカバー２０４と、水栓本体２０２の前端部に取り付けられる取付プレート２０５と、水栓本体２０２に保持された開閉弁ユニット３２と、を有する。さらに、湯水混合水栓２０１は、水栓本体２０２の前端部に取付プレート２０５を覆うように取り付けられる固定プレート２０６と、この固定プレート２０６に回動可能に取り付けられる押し釦２０８と、この押し釦２０８と固定プレート２０６との間に挟まれる抵抗部材２１０と、固定プレート２０６に取り付けられ、押し釦２０８を付勢する板ばね２１２と、を有する。
【００７３】
水栓本体２０２は、温度調整弁（図示せず）によって適温に調整された湯水混合水を、開閉弁ユニット３２に導き、吐水口２０２ａから吐水させるように構成されている。水栓本体２０２は、湯水混合水栓２０１を取り付ける壁面２からほぼ直角に突出するように配置され、その前端部には開閉弁ユニット３２を受け入れるように構成されている。さらに、水栓本体２０２は、その下部に吐水口２０２ａを備え、温度調整弁（図示せず）から水栓本体２０２に流入した湯水混合水を、開閉弁ユニットを介して吐水口２０２ａから吐出させるように構成されている。
【００７４】
カバー２０４は、水栓本体２０２の周囲を覆うように形成された上下に分離可能なカバーであり、湯水混合水栓２０１を取り付ける壁面からほぼ直角に突出するように取り付けられる。また、カバー２０４の下部には、水栓本体２０２の吐水口２０２ａを露出させるための穴が設けられている。
取付プレート２０５は、概ね半円形の金属板であり、４本のビス２０５ａ（１本のみ図示）で水栓本体２０２の前端部に取り付けられる。また、取付プレート２０５には、固定プレート２０６を取り付けるための取付座（図示せず）が形成されており、この取付座（図示せず）に固定プレート２０６がビス止めされる。
【００７５】
次に、図２２乃至図２４を参照して、固定プレート２０６及び押し釦２０８を説明する。図２２（ａ）は、本発明の第３実施形態による湯水混合水栓２０１の押し釦２０８を固定プレート２０６に組み付けた状態を、押し釦２０８の背面側から見た立面図であり、図２２（ｂ）は、（ａ）において一点鎖線で囲んだ押し釦２０８と固定プレート２０６の組み付け部分を拡大して示す部分拡大展開斜視図である。さらに、図２３（ａ）は押し釦２０８の背面図であり、図２３（ｂ）は側断面図である。また、図２４は固定プレート２０６の背面図である。
固定プレート２０６は、概ね半円形板状の部材であり、その板面には補強用のリブが形成されている。固定プレート２０６の前面側の上方両端部には、押し釦２０８を回動可能に取り付けるための釦取付け部２０６ａが形成されている。また、固定プレート２０６の背面側には、固定プレート２０６を取付プレート２０５に取り付けるための突起２０６ｂ及び２０６ｃが形成されている。固定プレート２０６は、突起２０６ｃに形成された爪を取付プレート２０５の下端に係合させ、突起２０６ｂに形成された穴を通してビス（図示せず）を取付プレート２０５の取付座（図示せず）に螺合させることによって取付プレート２０５に固定される。さらに、固定プレート２０６には、水栓本体２０２に受け入れられている開閉弁ユニット３２の操作部３６を固定プレート２０６の前面側に露出させるための穴２０６ｄが形成されている。また、固定プレート２０６の上辺中央には、長方形状の切欠が形成されており、この切欠の底部から上方に向って延びるように、ステンレス製の板ばね２１２が取り付けられている。本実施形態においては、固定プレート２０６は、樹脂製である。
【００７６】
押し釦２０８は、正面から見ると概ね半円形、側面から見ると概ね扇形形状の、背面側が開放したカップ状の形状を有し、その中に中空部２０９を形成している。また、押し釦２０８の背面側は、取付プレート２０５及び固定プレート２０６を受け入れる大きさに形成されている。押し釦２０８の背面側には、その上方の両側面から内方に向けて、軸線である２つの回動軸２０８ａが形成されている。この２つの回動軸２０８ａが、固定プレート２０６の釦取付け部２０６ａに形成された穴に受け入れられることによって、押し釦２０８が固定プレート２０６に揺動可能に支持される。また、各回動軸２０８ａの基部の周囲には、放射状に延びる拡張部２０８ｂが形成されている。さらに、押し釦２０８の背面側下部中央には、当接部２０８ｃが形成されている。押し釦２０８が押圧操作されて押し込まれると、この当接部２０８ｃが固定プレート２０６に当接して、押し釦２０８の動きが規制される。また、押し釦２０８の背面側上部中央には、板ばね係合突起２０８ｄが形成されている。この板ばね係合突起２０８ｄが、固定プレート２０６に取り付けられた板ばね２１２の先端部と係合することによって、押し釦２０８は、押し釦２０８が押し込まれる方向（後方）に向って付勢される。さらに、押し釦２０８の背面側には、操作部押圧突起２０８ｅが形成されている。押し釦２０８を押圧操作すると、この操作部押圧突起２０８ｅが水栓本体２０２から取付プレート２０５及び固定プレート２０６を通って突出している開閉弁ユニット３２の操作部３６を押して、開閉弁ユニット３２を開閉操作することができる。本実施形態においては、押し釦２０８は樹脂製であり、表面には金属のメッキが施されている。
押し釦２０８の内部の中空部２０９は底面２０９ａを有し、この底面２０９ａは、押し釦２０８の前側の壁面から、開放された背面側の辺２０９ｂまで延びている。また、底面２０９ａは、側断面図においては、その背面側の端である辺２０９ｂ上で最も高さが低くなっており、辺２０９ｂは、その中央の点である水抜き部２０９ｃにおいて最も高さが低くなっている。従って、底面２０９ａにおいて、水抜き部２０９ｃの高さが最も低くなっている。
【００７７】
図２２（ｂ）に示すように、抵抗手段である抵抗部材２１０は、ドーナツ形の円板状であり、押し釦２０８と固定プレート２０６の間に挟み込まれる。即ち、押し釦２０８を固定プレート２０６に組み付ける際に、抵抗部材２１０を押し釦２０８の一方の回動軸２０８ａに通し、各回動軸２０８ａが固定プレート２０６の釦取付け部２０６ａに形成された各穴に受け入れられるようにする。これにより、抵抗部材２１０は、図２２（ａ）に示すように、回動軸２０８ａの周囲の拡張部２０８ｂと釦取付け部２０６ａの間に挟まれる。抵抗部材２１０は、その厚さが、釦取付け部２０６ａと拡張部２０８ｂの間の隙間よりも僅かに大きく形成されているので、押し釦２０８を固定プレート２０６に組み付けると、押し釦２０８は僅かに弾性変形される。この弾性変形した押し釦２０８の復元力により、抵抗部材２１０は、押し釦２０８と固定プレート２０６の間に挟み付けられ、押し釦２０８に摩擦力が付与される。換言すれば、組み付けられる固定プレート２０６と押し釦２０８との間の隙間よりも僅かに厚い抵抗部材２１０を選択してそれらの間に挟み込むことにより、固定プレート２０６と押し釦２０８との間に適正な摩擦力が作用するようにする。固定プレート２０６と押し釦２０８との間の隙間が大きい場合には、両方の回動軸２０８ａに抵抗部材２１０を取り付けても良い。組み付けるべき固定プレート２０６と押し釦２０８との間の隙間に合わせて抵抗部材２１０を選択することにより、固定プレート２０６及び押し釦２０８の成形誤差、又は押し釦２０８に施されたメッキの厚さのばらつきによらず、固定プレート２０６と押し釦２０８との間に適正な摩擦力を作用させる。
【００７８】
次に、図１６乃至図１８及び図２５Ａ乃至図２５Ｃを参照して、本発明の第３実施形態による湯水混合水栓２０１の作用を説明する。図２５Ａは開閉弁ユニット３２が止水状態にあるときの押し釦２０８の位置を示し、図２５Ｂは開閉弁ユニット３２の操作部３６を最大に押し込んだときの押し釦２０８の位置を示し、図２５Ｃは開閉弁ユニット３２が吐水状態にあるときの押し釦２０８の位置を示す側面断面図である。即ち、揺動可能に取り付けられた押し釦２０８は、押圧操作によって図２５Ａ乃至図２５Ｃの各位置に揺動（移動）する。
まず、開閉弁ユニット３２が、図１６に示すような止水状態にあるときは、開閉弁ユニット３２のパイロット弁切換保持機構６２は、図１８におけるａの状態にある。また、このとき、押し釦２０８は、図２５Ａに示す位置にあり、操作部押圧突起２０８ｅが開閉弁ユニット３２の操作部に当接している。さらに、固定プレート２０６に取り付けられた板ばね２１２は、押し釦２０８の板ばね係合突起２０８ｄに当接して僅かに湾曲されている。この板ばね２１２の復元力によって、押し釦２０８は後方に向って、即ち、押し釦２０８を押し込む方向に付勢されている。
押し釦２０８が図２５Ａに示す位置にあるとき、シャワー吐水からのかかり水等によって中空部２０９内に浸入した水は、中空部２０９の底面２０９ａに落ち、高さが低い辺２０９ｂの方に流れ、辺２０９ｂ上で最も高さが低い水抜き部２０９ｃに集められて押し釦２０８の外へ排出される。中空部２０９の底面２０９ａに落ちた水は、辺２０９ｂの中央の水抜き部２０９ｃ一箇所に集められるので、広い範囲に薄く広がった水が底面２０９ａに付着したままになって多くの水が底面２０９ａ上に残ることがない。
【００７９】
次に、湯水混合水栓２０１の使用者が、押し釦２０８を押すと、押し釦２０８は、図２５Ｂに示す位置に移動する。このとき、押し釦２０８の当接部２０８ｃが固定プレート２０６と当接して、押し釦２０８の動きを規制する。また、このとき、操作部押圧突起２０８ｅが操作部３６を押し込んで、パイロット弁切換保持機構６２を、図１８におけるｂの状態にする。一方、板ばね２１２の湾曲量は減じるので、板ばね２１２が押し釦２０８に作用させる付勢力は減少する。
押し釦２０８が最も後方に押し込まれ、図２５Ｂに示す位置に移動したとき、底面２０９ａは、最も水平に近い状態となる。本実施形態に使用されている押し釦２０８は、この状態において、水抜き部２０９ｃを通る接線と水平線の為す傾斜角θは、約３゜である。従って、底面２０９ａが最も水平に近い状態となった場合にも、底面２０９ａに落ちた水は、水抜き部２０９ｃに集まり、水抜き部２０９ｃを通って押し釦２０８の外部に流れ落ちる。好ましくは、水抜き部２０９ｃを通る接線と水平線の為す傾斜角θは、２゜以上にするのが良い。
【００８０】
次に、湯水混合水栓２０１の使用者が押し釦２０８を離すと、開閉弁ユニット３２の付勢用ばね６９の付勢力により、開閉弁ユニット３２の操作部３６が、図１７に示す位置に押し戻され、吐水状態となる。このとき、パイロット弁切換保持機構６２は、図１８におけるｃの状態になる。操作部３６が図１７に示す位置に押し戻されると、押し釦２０８は、操作部３６によって前方に押され、図２５Ｃの位置に移動される。一方、板ばね２１２は、押し釦２０８を押し込む方向に付勢しているが、板ばね２１２による付勢力は付勢用ばね６９の付勢力よりも小さいので、付勢用ばね６９の付勢力が板ばね２１２による付勢力に打ち勝って、押し釦２０８を図２５Ｃの位置に移動させる。押し釦２０８が付勢用ばね６９の付勢力によって前方に押されると、押し釦２０８に作用する慣性力により、押し釦２０８は図２５Ｃの位置を通り越して前方に移動しようとする。しかしながら、押し釦２０８には、板ばね２１２による押し釦２０８を後方に押す付勢力が作用しているので、押し釦２０８の前方への行過ぎが防止される。さらに、押し釦２０８には抵抗部材２１０が取り付けられており、この抵抗部材２１０によって、押し釦２０８の動きに抵抗する摩擦力が及ぼされる。このため、押し釦２０８の慣性と、付勢用ばね６９及び板ばね２１２による付勢力によって生起される振動は素早く減衰される。これにより、押し釦２０８は、振動することなく、図２５Ｃに示す位置を殆ど通り過ぎることなく、図２５Ｂの位置から図２５Ｃの位置へ速やかに移動する。
また、中空部２０９の中に浸入した水は水抜き部２０９ｃを通って速やかに排出されているので、押し釦２０８が図２５Ｃの位置へ移動する際、中空部２０９の中に溜まった水が飛び散ることはない。
【００８１】
湯水混合水栓２０１の使用者が再び押し釦２０８を押すと、開閉弁ユニット３２は図４に示すような止水状態となり、パイロット弁切換保持機構６２は、図６におけるａの状態に復帰し、押し釦２０８も図２５Ａに示す状態に復帰する。
本発明の第３実施形態の湯水混合水栓２０１によれば、水抜き部２０９ｃが、常に中空部２０９の底面２０９ａの最も低い位置になるように配置されているので、押し釦２０８が揺動して何れの位置にあっても、中空部２０９に落ちた水を速やかに排出することができる。これにより、押し釦２０８に外部から水が浸入しても、押し釦の操作性が悪化することなく、さらに、衛生性を維持することができる。
【図面の簡単な説明】
【００８２】
【図１】本発明の第１実施形態である湯水混合水栓を示す全体斜視図である。
【図２】本発明の第１実施形態の湯水混合水栓を示す一部断面斜視図である。
【図３】図２に示された湯水混合水栓の部品である板状の断熱カバー、カラン用押し釦及びシャワー用押し釦の組立体のシャワー用押し釦を押した場合を示す表側から見た斜視図である。
【図４】図３に示す組立体を裏側から見た斜視図である。
【図５】シャワー用押し釦を表側から見た斜視図である。
【図６】使用者がシャワー用押し釦１０を操作するときの各レベルを示す側面図である。
【図７】本発明の第２実施形態による湯水混合水栓を示す全体斜視図である。
【図８】図７に示す湯水混合水栓の部品を展開して示す展開図である。
【図９】第２実施形態による押ボタンユニットの部品を展開して示す展開図である。
【図１０】第２実施形態による押し釦を裏側から見た斜視図である。
【図１１】第２実施形態による押ボタンユニットを示す正面図である。
【図１２】図２４のＢ−Ｂ線に沿って見た断面図である。
【図１３】使用者が押し釦を操作するときの押し釦の各レベルを示す混合水栓の部分断面図である。
【図１４】本発明の第２実施形態の湯水混合水栓を示す一部断面斜視図である。
【図１５】第１及び第２実施形態に使用される開閉弁ユニットの基本構造を示す概略図である。
【図１６】開閉弁ユニットにおける止水状態（閉状態）を示す断面図である。
【図１７】開閉弁ユニットにおける吐水状態（開状態）を示す断面図である。
【図１８】開閉弁ユニットに使用されるパイロット弁切替保持機構（ハートカム機構）を示す拡大図である。
【図１９】本発明の第３実施形態による湯水混合水栓の全体を示す斜視図である。
【図２０】図２９のXX-XX線に沿って切断した側面断面図である。
【図２１】図２９のXXI-XXI線に沿って切断した側面断面図である。
【図２２】（ａ）本発明の第３実施形態による湯水混合水栓の押し釦を固定プレートに組み付けた状態を示す背面図、及び（ｂ）押し釦と固定プレートの組み付け部分を拡大して示す部分拡大展開斜視図である。
【図２３】（ａ）本発明の第３実施形態による湯水混合水栓の押し釦の背面図、及び（ｂ）側面断面図である。
【図２４】本発明の第３実施形態による湯水混合水栓の固定プレートの背面図である。
【図２５Ａ】開閉弁ユニットが止水状態にあるときの押し釦の位置を示す側面断面図である。
【図２５Ｂ】開閉弁ユニットの操作部を完全に押し込んだときの押し釦の位置を示す側面断面図である。
【図２５Ｃ】開閉弁ユニットが吐水状態にあるときの押し釦の位置を示す側面断面図である。
【符号の説明】
【００８３】
１，１０１，２０１  湯水混合水栓
３，１０２，２０２  水栓本体
４，２０４  断熱カバー
８，１０８，２０８  カラン用押し釦
１０，１１０  シャワー用押し釦
１６，１１６，２０２ａ  カラン吐水口
１８，１１８  シャワー吐水口
３０，３２，１３０，１３２  開閉弁ユニット
３４，１３４  開閉弁ユニット取付用ナット
８６  シール部材
８８  水路
９０，１４８  水抜き孔
９２  水落下用開口
１０７  押ボタンユニット
１１１  ベースプレート
１１７  カラン吐水管
１３５  固定用ビス
１４０  コイルばね
１４２  ロック機構
１４４  支持軸
１４６  操作用突起
２０９  中空部
２０９ａ  底面
２０９ｂ  辺
２０９ｃ  水抜き部
２０５  取付プレート
２０６  固定プレート
２１０  抵抗部材
２１２  板ばね
【図１】
2005133530.tif 000003
【図２】
2005133530.tif 000004
【図３】
2005133530.tif 000005
【図４】
2005133530.tif 000006
【図５】
2005133530.tif 000007
【図６】
2005133530.tif 000008
【図７】
2005133530.tif 000009
【図８】
2005133530.tif 000010
【図９】
2005133530.tif 000011
【図１０】
2005133530.tif 000012
【図１１】
2005133530.tif 000013
【図１２】
2005133530.tif 000014
【図１３】
2005133530.tif 000015
【図１４】
2005133530.tif 000016
【図１５】
2005133530.tif 000017
【図１６】
2005133530.tif 000018
【図１７】
2005133530.tif 000019
【図１８】
2005133530.tif 000020
【図１９】
2005133530.tif 000021
【図２０】
2005133530.tif 000022
【図２１】
2005133530.tif 000023
【図２２】
2005133530.tif 000024
【図２３】
2005133530.tif 000025
【図２４】
2005133530.tif 000026
【図２５Ａ】
2005133530.tif 000027
【図２５Ｂ】
2005133530.tif 000028
【図２５Ｃ】
2005133530.tif 000029